(57)【要約】【課題】インキのドライアップ及びチップ先端部からのインキ垂れ下がりを防止し、且つノック衝撃等によるインキ逆流が発生しても、インキ収容管の後端部からインキが洩れにくい、インキを直詰めしたノック式ボールペンを提供する。【解決手段】ノック式ボールペンにおいて、チップ先端部が没入時のボールペンレフィルの尾栓に対応する軸筒内の位置に、取付部材を固着するとともに、前記尾栓と前記取付部材の両方に磁石を配設、または前記尾栓と前記取付部材のどちらか一方に磁石、他方に磁石に吸着可能な金属を配設し、チップ先端部が没入時に、前記尾栓と取付部材が磁力によって吸引または吸着することにより、前記尾栓の空気孔を閉鎖するとともに、前記チップ先端部が突出時には、前記尾栓と取付部材とが離間して前記尾栓の空気孔を開放する弁機構を具備する。【選択図】      図１
2005131893.tif 000002
【特許請求の範囲】
【請求項１】
内部にボールペン用インキを直に収納したインキ収容筒の先端に、ボールを回転自在に抱持したボールペンチップを直接またはチップホルダーを介して装着、前記インキ収容管の後端に内外を連通する空気孔を有する尾栓を装着してなるボールペンレフィルを、軸筒内に、コイルスプリングにより軸筒後端方向に付勢して摺動自在に配置し、ノック体を押圧作動することにより、前記ボールペンチップのチップ先端部を軸筒先端開口部から出没可能な出没機構を有したノック式ボールペンであって、前記チップ先端部が没入時の前記尾栓に対応する軸筒内の位置に、取付部材を配設するとともに、前記尾栓と前記取付部材の両方に磁石を配設、または前記尾栓と前記取付部材のどちらか一方に磁石、他方に磁石に吸着可能な金属を配設し、チップ先端部が没入時に、前記尾栓と取付部材が磁力によって吸引または吸着することにより、前記尾栓の空気孔を閉鎖するとともに、前記チップ先端部が突出時には、前記尾栓と取付部材とが離間して前記尾栓の空気孔を開放する弁機構を具備することを特徴とするノック式ボールペン。
【請求項２】
前記尾栓に配設した磁石又は磁石に吸着可能な金属が、前記尾栓内に移動可能に配設し、前記チップ先端部が突出時にチップ先端が上を向いた状態で、前記尾栓の空気孔を閉鎖することを特徴とする請求項１に記載のノック式ボールペン。
【発明の詳細な説明】
【技術分野】
【０００１】
本発明は、ボールペンチップを軸筒先端開口部から出没可能なノック式ボールペンに関する。
【背景技術】
【０００２】
インキ収容管の先端部に、ボールを回転自在に抱持したボールペンチップを具備し、ノック体を押圧作動することにより、ボールペンチップを軸筒先端開口部から出没可能なノック式ボールペンについてはよく知られている。こうしたノック式ボールペンに収容するボールペンレフィルとして、インキ収容管内にボールぺン用インキ、ボールぺン用インキの後端面に密接してインキの消費に追従するインキ追従体を直に収容し、インキ収容管の先端部にはチップホルダーを介して、ボールを回転自在に抱持したボールペンチップを装着し、さらに、インキ収容管の後端部には内外を連通する空気孔を有する尾栓を装着したものはよく知られている。
【０００３】
前記従来のインキ収容管にインキ吸蔵体を配設しない、インキを直詰めするタイプのボールペンレフィルを用いたノック式ボールペンは、チップ先端部からインキが垂れ下がる現象について注意が必要となる。特にノック式ボールペンは常時ボールペンチップが露出しているので、インキの垂れ下がりを防止することは重要な課題である。
【０００４】
こうしたノック式ボールペンにおいて、インキの垂れ下がりを防止するため、チップ内にコイルスプリングを配設し、コイルスプリングの弾発力により、非使用時にはボールをチップ先端縁の内壁面に押圧し、筆記時の押圧力によりチップ先端縁の内壁とボールに間隙を与えインキを流出させる弁機構を具備することも知られているが、ボールに用いる材質は、超硬材やセラミック材、チップ本体に用いる材質もステンレス鋼、真鍮等の硬質材であるため完全に密閉することは困難である。
【０００５】
ところで、油性ボールペンのインキ吐出のメカニズムは、チップ先端のボールが回転し、ボールに付着したインキが筆記面に転写されることによって筆跡となり、水性ボールペンのインキ吐出のメカニズムは、チップ先端のボールの回転を背景にして、筆記面に毛管、浸透作用によってインキが移行することによって筆跡となる等、インキの特性によってインキ吐出のメカニズムは相違するものの、チップ先端からインキ吐出を行うには、加圧により強制的にインキを吐出可能としない限り、チップ先端部にインキを供給するインキ収容管は、内部のインキの減少に伴って内圧が低下してインキ供給が不能となることから、インキ収容管の内外を連通する空気孔を形成して内圧を緩和し、インキの供給が良好に行えるようにする必要がある。その構造としては、インキ収容管の後端部に内部に連通する空気孔を形成したり、空気孔を形成した尾栓を装着したものなどが採用されている。
【０００６】
前記のような空気孔を開口したものでは、通常インキ収容管の内部と外部とが連通していることから、筆記具を使用しなくても長期間の放置によって、インキが蒸発するドライアップ現象が生じ、筆記できなくなる恐れがある。
【０００７】
こうした問題を鑑みて、実公平７−３０３８６号公報「ノック式水性筆記具レフィールの空気孔開閉装置」や特開平９−１７５０８２号公報「ノック式筆記具」等で、非筆記時に空気孔を閉鎖する機構が開示されている。
【０００８】
前記従来技術は、非筆記時に空気孔を開閉することにより、空気孔からのドライアップ現象を防止するとともに、前述したインキ収容管の内外を連通する空気孔を閉鎖するため、チップ先端からのインキの垂れ下がりの抑制にもなる。
【特許文献１】「実公平７−３０３８６号公報」
【特許文献２】「特開平９−１７５０８２号公報」
【発明の開示】
【発明が解決しようとする課題】
【０００９】
そのため、前記のような空気孔を確実に閉鎖する構造が必要であり、寸法精度を厳密にし、経時による寸法変化や密閉性を考慮した材質を選定する必要があった。
【００１０】
本発明の目的は、インキのドライアップ及びチップ先端部からのインキ垂れ下がりを防止する構造を、簡単な構造で且つ確実に行えるノック式ボールペンを提供するものである。
【課題を解決するための手段】
【００１１】
本発明は、内部にボールペン用インキを直に収納したインキ収容筒の先端に、ボールを回転自在に抱持したボールペンチップを直接またはチップホルダーを介して装着、前記インキ収容管の後端に内外を連通する空気孔を有する尾栓を装着してなるボールペンレフィルを、軸筒内に、コイルスプリングにより軸筒後端方向に付勢して摺動自在に配置し、ノック体を押圧作動することにより、前記ボールペンチップのチップ先端部を軸筒先端開口部から出没可能な出没機構を有したノック式ボールペンであって、前記チップ先端部が没入時の前記尾栓に対応する軸筒内の位置に、取付部材を配設するとともに、前記尾栓と前記取付部材の両方に磁石を配設、または前記尾栓と前記取付部材のどちらか一方に磁石、他方に磁石に吸着可能な金属を配設し、チップ先端部が没入時に、前記尾栓と取付部材が磁力によって吸引または吸着することにより、前記尾栓の空気孔を閉鎖するとともに、前記チップ先端部が突出時には、前記尾栓と取付部材とが離間して前記尾栓の空気孔を開放する弁機構を具備する。
【００１２】
また、前記尾栓に配設した磁石又は磁石に吸着可能な金属が、前記尾栓内に移動可能に配設してなり、前記チップ先端部が突出時にチップ先端が上を向いた状態で、前記尾栓の空気孔を閉鎖する。
【００１３】
本発明の磁石の材料は、ネオジウム（Ｎｄ）系、サマリウム（Ｓｍ）系、セリウム（Ｃｅ）系、フェライト（Ｓｒ、Ｂａ）系等、限定されることなく、保磁力等を考慮し、適宜選択して使用することができる。また、磁石に吸着可能な金属には、鉄及び鉄合金等、磁石によって吸着可能な金属を適宜使用することができる。
【発明の効果】
【００１４】
本発明のノック式ボールペンは、インキのドライアップ及びチップ先端部からのインキ垂れ下がりを防止し、且つノック衝撃等によるインキ逆流が発生しても、インキ収容管の後端部からインキが洩れにくい、インキを直詰めしたノック式ボールペンを提供することができる。
【発明を実施するための最良の形態】
【００１５】
ノック式ボールペンにおいて、インキのドライアップ及びチップ先端部からのインキ垂れ下がりを防止し、逆流によるインキ洩れを防止するという目的を、簡単な構造で実現した。
【実施例１】
【００１６】
図１から図５に示すノック式ボールペン１は、前軸２と後軸３を螺合した軸筒内にボールペンレフィルがコイルスプリング４によって後軸後端３ａ方向に付勢された状態で収納されている。
【００１７】
ボールペンレフィル５の構造は、従来から知られているもので、インキ収容管６内にボールぺン用インキ１１及びボールぺン用インキの後端面に密接してインキの消費に追従するインキ追従体１２を直に収容し、インキ収容管６の先端部にはチップホルダー７を介して、ボールを回転自在に抱持し、先端縁の内壁をボールと同形の球面状に形成したボールペンチップ８をチップホルダー７を介して装着し、インキ収容管６の後端部には内外を連通する空気孔９ａを有する尾栓９を装着してある。この尾栓９には、尾栓の空気孔９ａに連通する貫通孔１０ａを形成した金属１０を固着してある。また、前軸２の把持部にはグリップ部材１８を装着し、後軸３にはクリップ部材１９を一体に形成してある。
【００１８】
ボールペンチップ８の先端部を前軸２の先端開口部２ａから出没させる機構は、従来から知られているもので、簡単に説明すると、後軸３の内壁面に回転カム１３を前後に摺動案内し回転させるためのカム溝（図示せず）を形成し、このカム溝に、回転カム１３に形成した突起を係合して配設してある。回転カム１３の後端には、前記回転カム１３を摺動し回転を付与するためのカム部を先端に有したノック体１４を、ノック体１４の後端部が後軸後端３ａより外方に突出した状態に配設した構造である。
【００１９】
回転カム１３の前方には、ノック体１４に連動する押圧部材１５を配設してある。また、後軸３内に取付部材１６を配設してあり、この取付部材１６に磁石１７に固着してある。この取付部材１６には、押圧部材１５が摺動可能とするため空間部１５ａを形成してある。
【００２０】
図１に示す状態では、ボールペンレフィル５の尾栓９に固着した金属１０と取付部材１６に固着した磁石１７とが当接するとともに、磁力によって吸着することにより、金属１０の貫通孔１０ａを閉鎖する。その結果、尾栓９の空気孔９ａを閉鎖することになる。
【００２１】
この状態からノック体１４を押圧作動すると、回転カム１３が回転力を付与された状態で前進し、回転カム１３の前方に配設した押圧部材１５を前進させ、尾栓９に当接して前進する。その後、図２に示すように、ボールペンチップ８の先端部が前軸２の先端開口部２ａから突出した状態を維持する。この時、尾栓９及び金属１０は、取付部材１６の磁石１７から離れるため、金属１０の貫通孔１０ａ及び尾栓９に形成された空気孔９ａが開口する。その結果、筆記によりインキを消費するとこれと当量の空気が置換して空気孔９ａからインキ収容管６内に進入し、筆記不良を生じることがない。図２に示す状態から再度ノック体１４を押圧作動すると、ボールペンチップ８の先端部が前軸２内に没入し、図１に示す状態に戻る。
【００２２】
非使用時である、ボールペンチップ８の先端部が前軸２の先端開口部２ａより没入した状態では、尾栓９に固着した金属１０と、取付部材１６に固着した磁石１７が当接するだけでなく、磁力によって吸着するので、貫通孔１０ａを確実に閉鎖することができ、空気の置換ができないため、ボールペンチップ８の先端部からのインキ垂れ下がりを防止することができる。
【実施例２】
【００２３】
図６、図７に示すノック式ボールペン２１は、尾栓２９内に移動可能に金属からなる弁球３０を配設した以外は、実施例１と同様にしてノック式ボールペン２１を得ている。
【００２４】
図６に示す状態では、尾栓２９内に移動可能に金属からなる弁球３０が、取付部材１６に固着した磁石３７の磁力によって尾栓２９の後端方向に移動し、尾栓２９の空気孔２９ａを閉鎖する。この状態からノック体１４を押圧作動すると、実施例１と同様に、回転カム１３が回転力を付与された状態で前進し、回転カム１３の前方に配設した押圧部材３７を前進させ、尾栓２９に当接し、その後、ボールペンチップ（図示せず）の先端部が前軸の先端開口部から突出した状態を維持する。その結果、尾栓２９は取付部材１６に固着した磁石３７から離れ、磁力の影響が減少または影響を受けなくなり、尾栓２９内の弁球３０がボールペンチップの先端部側に移動して尾栓２９に形成された空気孔２９ａを開口する。
【００２５】
また、ボールペンチップの先端部が前軸の先端開口部から突出した状態（尾栓２９の空気孔２９ａが開口している状態）であっても、ボールペンチップの先端部を上向き（ノック体１４を下向き）にすると、弁球３０は自重によって尾栓２９の後端側に移動して、尾栓２９の空気孔２９ａを閉鎖するので、ノック衝撃や上向き筆記などにより逆流現象が生じた場合でも、尾栓２９の空気孔２９ａからのインキ洩れを防止することができる。
【００２６】
本発明のノック式ボールペンは、ボールペンチップの形状や構造は特に限定されるものではなく、図示はしていないが、非使用時にはチップ先端に回転自在に抱持したボールを、コイルスプリングにより直接または押圧体を介して、ボールの後端に当接させ、チップ先端縁の内壁面に押圧して、筆記時の押圧力によりチップ先端縁の内壁とボールに間隙を与えインキを流出させる弁機構を具備すると、チップ先端部からのドライアップ及びインキ垂れ下がりの防止効果が向上するので好ましい。
【００２７】
本実施例では、取付部材に磁石、尾栓に磁石に吸着可能な金属を配設しているが、尾栓又は取付部材の少なくともどちらか一方に磁石を、他方に磁石又は磁石に吸着可能な金属を配設してあればよい。また、取付部材の配設方法や形状及び尾栓に配設する金属又は磁石の形状も特に限定されるものでなく、磁力によって吸着した時に尾栓の空気孔を閉鎖する形状を適宜設定してあればよい。また、図示はしていないが、尾栓や取付部材自体を磁石又は金属で形成することにより、部品点数が減少するので好ましい。
【産業上の利用可能性】
【００２８】
低粘度油性インキ、剪断減粘性インキ、水性インキ等、インキの種類に限定されることなく適用でき、特にインキ洩れやインキ逆流を発生し易い低粘度の水性インキを、インキ収容管内に直詰めにすることが可能である。
【図面の簡単な説明】
【００２９】
【図１】実施例１のノック式ボールペンを示す一部省略した要部縦断面図である。
【図２】図１におけるボールペンチップを突出させた状態を示す図である。
【図３】図１におけるＡ−Ａ拡大断面図である。
【図４】図１における一部省略した要部拡大図である。
【図５】図２における一部省略した要部拡大図である。
【図６】実施例２のノック式ボールペンを示す一部省略した要部拡大縦断面図である。
【図７】図６におけるボールペンチップを突出させた状態を示す一部省略した要部拡大縦断面図である。
【符号の説明】
【００３０】
１、２１  ノック式ボールペン
２  前軸
３  後軸
４  コイルスプリング
５  ボールペンレフィル
６  インキ収容管
７  チップホルダー
８  ボールペンチップ
９、２９  尾栓
９ａ、２９ａ  空気孔
１０  金属
１０ａ  貫通孔
１３  回転カム
１４  ノック体
１５  押圧部材
１６  取付部材
１７、３７  磁石
３０  弁球
【図１】
2005131893.tif 000003
【図２】
2005131893.tif 000004
【図３】
2005131893.tif 000005
【図４】
2005131893.tif 000006
【図５】
2005131893.tif 000007
【図６】
2005131893.tif 000008
【図７】
2005131893.tif 000009